【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
カメラ、マイクロホン、１つまたは複数のプロセッサ、及び前記１つまたは複数のプロセッサにより実行されるプログラムを格納するメモリ、を備えるカレントユーザの端末により、ターゲットユーザのアカウント情報を取得するための方法であって、
前記カレントユーザの端末により、前記ターゲットユーザの生物学的情報を取得する前に、
前記ターゲットユーザの端末により、アカウント情報関連付け命令を受信し、前記命令に応答して前記ターゲットユーザをビデオ撮影し、前記撮影されたビデオ及び音声情報から、前記ターゲットユーザの、関連付けられるべき生物学的情報を取得し、前記関連付けられるべき生物学的情報から、関連付けられるべき生物学的特徴データを抽出するステップと、
前記ターゲットユーザの前記端末により、前記ターゲットユーザのアカウント情報と、前記関連付けられるべき生物学的特徴データとを前記サーバへ送信するステップと、
前記サーバにより、前記関連付けられるべき生物学的特徴データを生物学的特徴データサンプルとして使用し、前記生物学的特徴データサンプルを前記ターゲットユーザの前記アカウント情報に関連付けるステップと、
前記サーバにより、関連付けられた前記生物学的特徴データサンプルと前記ターゲットユーザの前記アカウント情報とを前記データベースに記憶するステップと
を備え、
前記カレントユーザが、前記ターゲットユーザのアカウント情報を探索するために、
前記カレントユーザの端末により、アカウント情報取得命令を受信し、前記命令に応答して前記ターゲットユーザをビデオ撮影し、前記撮影されたビデオ及び音声情報から、前記ターゲットユーザの生物学的情報を取得するステップと、
前記カレントユーザの端末により、前記ターゲットユーザの前記生物学的情報から生物学的特徴データを抽出し、前記生物学的特徴データを前記サーバへ送信するステップと、
前記サーバにより、前記生物学的特徴データにマッチする少なくとも1つの生物学的特徴データサンプルを求めてデータベースを探索するステップと、
前記サーバにより、前記生物学的特徴データサンプルに関連付けられたアカウント情報を取得し、前記関連付けられたアカウント情報を前記端末へ送信するステップと、
前記端末により、前記アカウント情報を表示するステップと
を備え、
前記アカウント情報に基づき、前記カレントユーザが、前記ターゲットユーザをアプリケーションのリストに追加可能となる、アカウント情報取得方法。
【請求項２】
前記サーバにより、前記生物学的特徴データにマッチする少なくとも1つの生物学的特徴データサンプルを求めてデータベースを探索するステップは、
前記サーバにより、前記生物学的特徴データに従って、対応する特徴識別子を生成するステップと、
前記サーバにより、第1のしきい値よりも大きい第1のマッチ度で前記特徴識別子にマッチする少なくとも1つの生物学的特徴データサンプルを求めて前記データベースを探索するステップと、
前記サーバにより、第1のマッチ度が前記第1のしきい値よりも大きい前記生物学的特徴データサンプルを前記生物学的特徴データと比較して、第2のマッチ度が第2のしきい値よりも大きい少なくとも1つの生物学的特徴データサンプルを取得するステップと、
前記サーバにより、第2のマッチ度が前記第2のしきい値よりも大きい前記生物学的特徴データサンプルを、前記生物学的特徴データにマッチする生物学的特徴データサンプルとして使用するステップと
を備える、請求項1に記載のアカウント情報取得方法。
【請求項３】
前記生物学的情報は、顔画像情報、指紋情報、虹彩情報、および音声情報の1つまたは組合せを含む、請求項1に記載のアカウント情報取得方法。
【請求項４】
カメラ、マイクロホン、１つまたは複数のプロセッサ、及び前記１つまたは複数のプロセッサにより実行されるプログラムを格納するメモリと、
アカウント情報取得命令を受信し、前記ターゲットユーザをビデオ撮影し、前記撮影されたビデオ及び音声情報から、前記ターゲットユーザの生物学的情報を取得するように構成された取得モジュールと、
前記ターゲットユーザの前記生物学的情報から生物学的特徴データを抽出するように構成された識別モジュールと、
前記生物学的特徴データを、前記ターゲットユーザの端末により撮影された前記ターゲットユーザのビデオ及び音声情報から取得された、前記ターゲットユーザのアカウント情報と関連付けられた生物学的特徴データを事前に格納しているサーバへ送信し、少なくとも1つの関連付けられた生物学的特徴データサンプルが前記生物学的特徴データにマッチする前記ターゲットユーザのアカウント情報を、前記サーバから受信するように構成された端末ネットワークモジュールと、
前記アカウント情報を表示するように構成されたディスプレイモジュールと
を備え、
前記アカウント情報に基づき、前記カレントユーザが、前記ターゲットユーザをアプリケーションのリストに追加可能となる、アカウント情報取得端末。
【請求項５】
前記取得モジュールはさらに、アカウント情報関連付け命令を受信し、カレントユーザの、関連付けられるべき生物学的情報を取得するように構成され、
前記識別モジュールはさらに、前記関連付けられるべき生物学的情報から、関連付けられるべき生物学的特徴データを抽出するように構成され、
前記端末ネットワークモジュールはさらに、前記カレントユーザのアカウント情報と、前記関連付けられるべき生物学的特徴データとを、関連付けのために前記サーバへ送信するように構成される、請求項4に記載のアカウント情報取得端末。
【請求項６】
前記生物学的情報は、顔画像情報、指紋情報、虹彩情報、および音声情報の1つまたは組合せを含む、請求項4または5に記載のアカウント情報取得端末。
【請求項７】
請求項5から7のいずれか一項に記載のアカウント情報取得端末によって送信されたターゲットユーザの生物学的特徴データを受信し、関連付けられたアカウント情報を表示のために前記端末へ送信するように構成されたサーバネットワークモジュールと、
前記生物学的特徴データにマッチする少なくとも1つの生物学的特徴データサンプルを求めてデータベースを探索し、前記生物学的特徴データサンプルに関連付けられた前記アカウント情報を取得するように構成されたマッチモジュールと
を備え、
前記ターゲットユーザの端末により撮影された前記ターゲットユーザのビデオ及び音声情報から取得された、前記ターゲットユーザのアカウント情報と関連付けられた生物学的特徴データを事前に格納している、アカウント情報取得サーバ。
【請求項８】
前記マッチモジュールはさらに、
前記生物学的特徴データに従って、対応する特徴識別子を生成し、
第1のしきい値よりも大きい第1のマッチ度で前記特徴識別子にマッチする少なくとも1つの生物学的特徴データサンプルを求めて前記データベースを探索し、
第1のマッチ度が前記第1のしきい値よりも大きい前記生物学的特徴データサンプルを前記生物学的特徴データと比較して、第2のマッチ度が第2のしきい値よりも大きい少なくとも1つの生物学的特徴データサンプルを取得し、
第2のマッチ度が前記第2のしきい値よりも大きい前記生物学的特徴データサンプルを、前記生物学的特徴データにマッチする生物学的特徴データサンプルとして使用するように構成された、請求項7に記載のアカウント情報取得サーバ。
【請求項９】
関連付けおよび記憶モジュールをさらに備え、
前記サーバネットワークモジュールはさらに、前記ターゲットユーザの端末によって送信された、前記ターゲットユーザのアカウント情報と、関連付けられるべき生物学的特徴データとを受信するように構成され、
前記関連付けおよび記憶モジュールは、前記関連付けられるべき生物学的特徴データを生物学的特徴データサンプルとして使用し、前記生物学的特徴データサンプルを前記ターゲットユーザの前記アカウント情報に関連付け、関連付けられた前記生物学的特徴データサンプルと、前記ターゲットユーザの前記アカウント情報とを前記データベースに記憶するように構成される、請求項8または9に記載のアカウント情報取得サーバ。
【請求項１０】
請求項4から6のいずれか一項に記載のアカウント情報取得端末および請求項7から9のいずれか一項に記載のアカウント情報取得サーバを備えた、アカウント情報取得システム。